(57)【要約】【課題】  活物質の脱落、巻きずれを防止でき且つ短絡の防止も図れる円筒形密閉式鉛蓄電池を得る。【解決手段】  正極板と負極板とがセパレータを介して巻回された極板群を持つ。セパレータが３枚重ねになっており、極板の表面に接する２枚のセパレータは活物質脱落防止用セパレータであり、真ん中に位置するセパレータは短絡防止用セパレータである。【選択図】  なし【特許請求の範囲】
【請求項１】
正極板と負極板とがセパレータを介して巻回された極板群を持つ円筒形密閉式鉛蓄電池において、
前記セパレータが３枚重ねになっており、前記極板の表面に接する２枚の前記セパレータは活物質脱落防止用セパレータであり、真ん中に位置する前記セパレータは短絡防止用セパレータであることを特徴とする円筒形密閉式鉛蓄電池。
【請求項２】
前記活物質脱落防止用セパレータとしてガラス繊維を主成分とするセパレータが用いられ、前記短絡防止用セパレータとしては合成樹脂フィルムからなるセパレータが用いられていることを特徴とする請求項１に記載の円筒形密閉式鉛蓄電池。
【発明の詳細な説明】
【技術分野】
【０００１】
本発明は、正極板と負極板とがセパレータを介して巻回された極板群を持つ円筒形密閉式鉛蓄電池に関するものである。
【背景技術】
【０００２】
円筒形密閉式鉛蓄電池の極板群は、正極板と負極板とがセパレータを介して巻回された構造になっている。この極板群では、長尺の比較的柔らかい極板を取り扱うため、極板からの活物質の脱落を防止することは重要な課題である。極板からの活物質の脱落を防止するために、ペースト状の活物質を集電体に充填した後、合成樹脂製の不織布を両面に貼り付け、その後、ガラス繊維からなるセパレータを介して巻回することが多い。一方、鉛蓄電池の小型・高出力化の傾向は強く、一定の電池容積の中で極板面積を大きくするような電池構造を考えた場合、セパレータの厚みをできるだけ小さくすることが必要である。通常、セパレータの厚みは１．０ｍｍ前後のものが使われることが多く、０．５ｍｍ前後の厚みセパレータを使えることができれば、小型・高出力化の観点から言えば、電池特性を大幅に向上することが可能である。この場合、電池内での短絡防止が重要である。前述したセパレータ構造を用いると、活物質の脱落については防止できるが、短絡を抑制することは困難である。
【０００３】
さらに、長尺な極板を巻回した場合であるため、巻きずれが発生しにくい構造であることが要求される。その一つとして、極板に貼り付けるセパレータにペースト紙を用い、このペースト紙にスリット加工を施すことにより活物質の脱落を防止し、且つ巻きずれを防止することが提案されている（例えば、特許文献１参照。）。
【特許文献１】特開２００２−１５８０３０号公報
【発明の開示】
【発明が解決しようとする課題】
【０００４】
しかしながら、このような構造では、セパレータを薄くした場合の短絡抑制の効果はない問題点があった。
【０００５】
本発明の目的は、活物質の脱落を防止でき且つ短絡の防止も図れる円筒形密閉式鉛蓄電池を得ることにある。
【０００６】
本発明の他の目的は、活物質の脱落と巻きずれを防止でき且つ短絡の防止も図れる円筒形密閉式鉛蓄電池を得ることにある。
【課題を解決するための手段】
【０００７】
本発明は、正極板と負極板とがセパレータを介して巻回された極板群を持つ円筒形密閉式鉛蓄電池を対象とする。
【０００８】
本発明に係る円筒形密閉式鉛蓄電池では、セパレータが３枚重ねになっており、極板の表面に接する２枚のセパレータは活物質脱落防止用セパレータであり、真ん中に位置するセパレータは短絡防止用セパレータであることを特徴とする。
【０００９】
このような３枚重ねのセパレータを用い、極板の表面に接する２枚の活物質脱落防止用セパレータにより極板からの活物質の脱落を防止でき、真ん中に位置する短絡防止用セパレータによりこのセパレータを通しての短絡を防止することができる。従って、活物質の脱落を防止し、且つ活物質の脱落を防止できる円筒形密閉式鉛蓄電池を得ることができる。
【００１０】
この場合、活物質脱落防止用セパレータとしてガラス繊維を主成分とするセパレータを用いることができ、短絡防止用セパレータとしては合成樹脂フィルムからなるセパレータを用いることができる。このような薄い３枚重ねのセパレータによれば、巻ずれの発生も防止することができる。従って、活物質の脱落、巻きずれを防止し、且つ活物質の脱落を防止できる円筒形密閉式鉛蓄電池を得ることができる。
【発明の効果】
【００１１】
本発明に係る円筒形密閉式鉛蓄電池では、セパレータが３枚重ねになっており、極板の表面に接する２枚のセパレータは活物質脱落防止用セパレータであり、真ん中に位置するセパレータは短絡防止用セパレータであるので、極板の表面に接する２枚の活物質脱落防止用セパレータにより極板からの活物質の脱落を防止でき、真ん中に位置する短絡防止用セパレータによりこのセパレータを通しての短絡を防止することができる。従って、本発明によれば、活物質の脱落を防止し、且つ短絡を防止することが可能であり、電池の小型・高出力化が可能となるため、工業的価値が極めて大きい。
【００１２】
この場合、活物質脱落防止用セパレータとしてガラス繊維を主成分とするセパレータを用い、短絡防止用セパレータとして合成樹脂フィルムからなるセパレータを用いた薄い３枚重ねのセパレータによれば、巻ずれの発生も防止することができる。従って、活物質の脱落、巻きずれを防止し、且つ活物質の脱落を防止できる円筒形密閉式鉛蓄電池を得ることができる。
【発明を実施するための最良の形態】
【００１３】
以下、本発明の実施の形態の一例について説明する。厚さ０．７ｍｍの鉛合金箔を用いて幅８０ｍｍ×長さ６００ｍｍの極板基体を打ち抜き格子体により作成した。
【００１４】
次に、この極板基体を用いて電極を作成した。正極板は、酸化度７０％の鉛粉と希硫酸とを混練して活物質ペーストを得た後、この活物質ペーストを集電体に充填して得た。負極板は、酸化度７０％の鉛粉に少量の炭素粉末、リグニン、バリウム化合物を加え、希硫酸とを混練して活物質ペーストを得た後、この活物質ペーストを集電体に充填して得た。
【００１５】
次に、表１に示すような構造の極板群を作成した。
【表１】
2005019396.tif 000002
【００１６】
この表中の（）内の数字はセパレータの厚みであり、セパレータの総厚みが０．５ｍｍになるようにした。これらの巻回群に集電タブをＣＯＳ法（ｃａｓｔ  ｏｎ  ｓｔｒａｐ法）によりストラップと溶接し、極板群を得た。
【００１７】
この巻回群Ｎｏ．３について、合成樹脂製のフィルムからなるセパレータの厚みを極板表面に貼り付けたセパレータの厚みよりも小さくすることで、電池内部抵抗が上昇することを抑制した。
【００１８】
その後、極板群を電槽に挿入し、上蓋を溶着し、比重１．２５０の希硫酸を注液し、電槽化成を行い、円筒形密閉式鉛蓄電池を得た。
【００１９】
電池作成時の活物質の脱落はどの電池においても発生せず、本発明の電池においても活物質の脱落抑制の効果がはっきりと現れた。また、巻きずれの発生もなく、本発明の電池においても巻きずれ防止効果がはっきりと現れた。
【００２０】
それぞれの電池を４０°Ｃで放置し、回路電圧を測定した。その結果を、図１に示した。この図１より、従来例である電池Ａ及び電池Ｂは電圧低下が大きく、短絡が発生していることを示している。本発明の電池Ｃは電圧の低下が小さく、短絡を抑制していることを示している。
【００２１】
このように、本発明の電池は、活物質の脱落、巻きずれを抑制し、且つ短絡を抑制することが可能である。
【００２２】
特に、活物質脱落防止用セパレータとしてガラス繊維を主成分とするセパレータを用い、短絡防止用セパレータとして合成樹脂フィルムからなるセパレータを用いた薄い３枚重ねのセパレータによれば、巻いた際に内側と外側になるガラス繊維を主成分とするセパレータは目が粗いので伸縮でき、真ん中の合成樹脂フィルムからなるセパレータこれに追従させることができて、巻ずれの発生を防止することができる。
【図面の簡単な説明】
【００２３】
【図１】本発明の電池と従来例の電池の回路電圧を示す図である。
【図１】
2005019396.tif 000003